(57)【要約】本発明はチューブ型化粧品容器に関するもので、本発明によるチューブ型化粧品容器は、キャップ本体上端部を中央部に行くほど陥没される皿形状の陥没部に構成し、陥没部の中央部に形成される排出孔にバルブ部材を設置することによって、排出された内容物の再吸入を防止できるだけでなく、陥没部に内容物を簡単に排出して使用できることが特徴である。【選択図】図２
2015509811.tif 000002
【特許請求の範囲】
【請求項１】
内容物が収容されるチューブ本体と；
前記チューブ本体の上部に結合されながら、チューブ本体に収容された内容物が排出されるよう排出部が形成されるチューブネックと；
前記排出部の内側に位置して内容物が移動する通路を形成し、内容物の圧力によって上昇する昇下降部材と；
前記チューブネックを覆って結合され、内容物が排出されるよう排出孔が形成されながら、上端部が中央部に行くほど陥没される皿形状の陥没部を形成するキャップ本体と、前記キャップ本体の一側にヒンジ結合されて前記排出孔を開閉するカバー部で構成されるワンタッチキャップと；
前記昇下降部材の上端を覆って結合され、チューブ本体の加圧による内容物の圧力によって排出孔を開閉させるバルブ部材と；を含めることを特徴とするチューブ型化粧品容器。
【請求項２】
前記チューブのネックには排出部の内側に延長されながら、上方向に突出形成されて前記昇下降部材を支持する支持部が具備されることを特徴とする請求項１に記載のチューブ型化粧品容器。
【請求項３】
前記昇下降部材は下部には排出部を通じて移動される内容物が流入される内容物流入孔が形成され、上部には内容物流入孔を通じて流入された内容物が流出される内容物流出孔が形成される内容物移動管と、前記内容物移動管を取り巻いて位置して前記支持部に安着される安着部で構成されることを特徴とする請求項２に記載のチューブ型化粧品容器。
【請求項４】
前記内容物移動管には内側壁面から一定の間隔離隔されて突出形成されながら、バルブ部材の下部と結合されてバルブ部材の上方向移動を制限する固定突起が形成されることを特徴とする請求項３に記載のチューブ型化粧品容器。
【請求項５】
前記カバー部の内側中央部には下方向に突出されて前記バルブ部材の上端を加圧する加圧突起が具備されることを特徴とする請求項１に記載のチューブ型化粧品容器。
【請求項６】
前記キャップ本体の内側上端には排出孔を取り巻いて下方向に突出形成されて前記昇下降部材の上昇を制限する上昇制限突起が形成されることを特徴とする請求項１に記載のチューブ型化粧品容器。
【請求項７】
内容物が収容されるチューブ本体と；
前記チューブ本体の上部に結合されながら、チューブ本体に収容された内容物が排出されるように排出部が形成されるチューブネックと；
前記排出部に結合されながら、中空が形成され、その内側に弾性体が設置される弾性体挿入部が具備される支持体と；
前記支持体の内側に位置し、内容物が移動する通路を形成するが、カバー部の閉鎖時に下降してからカバー部の開放時に前記弾性体の弾性力によって上昇される昇下降部材と；
前記チューブネックを覆って結合され、内容物が排出されるように排出孔が形成されながら、上端部が中央部に行くほど陥没される皿形状の陥没部を成すキャップ本体と、前記キャップ本体の一側にヒンジ結合されて前記排出孔を開閉するカバー部で構成されるワンタッチキャップと；
前記昇下降部材の上端を被せながら結合され、チューブ本体の加圧による内容物の圧力によって排出孔を開閉させるバルブ部材と；を含めることを特徴とするチューブ型化粧品容器。
【請求項８】
前記昇下降部材は、下部には排出部を通じて移動する内容物が流入する内容物流入孔が形成され、上部には内容物流入孔を通じて流入された内容物が流出される内容物流出孔を有する内容物移動管と、前記内容物の移動管を取り巻いて位置して前記弾性体挿入部に安着される安着部で構成されることを特徴とする請求項７に記載のチューブ型化粧品容器。
【請求項９】
前記内容物の移動管には内側壁面から一定間隔離隔されて突出形成されながら、バルブ部材の下部と結合されてバルブ部材の上方向移動を制限する固定突起が形成されることを特徴とする請求項８に記載のチューブ型化粧品容器。
【請求項１０】
前記カバー部の内側中央部には下方向に突出されて前記バルブ部材の上部を加圧する加圧突起が具備されることを特徴とする請求項７に記載のチューブ型化粧品容器。
【請求項１１】
前記キャップ本体の内側上端には排出孔を取り巻いて下方向に突出形成されて前記昇下降部材の上昇を制限する上昇制限突起が形成されることを特徴とする請求項７に記載のチューブ型化粧品容器。
【発明の詳細な説明】
【技術分野】
【０００１】
本発明はチューブ型化粧品容器に関するものであり、より詳細にはキャップ本体の上端部を中央部に行くほど陥没される皿形状の陥没部に構成し、陥没部の中央部に形成される排出孔にバルブ部材を設置することによって、排出された内容物の再吸入を防止することができるだけでなく、陥没部に内容物を簡単に排出して使用することが可能なチューブ型化粧品容器に関するものである。
【背景技術】
【０００２】
一般的に、チューブ容器は、内容物が収容されるチューブ本体と、前記チューブ本体の上部に結合されチューブ本体を支持し、チューブ本体に収容された内容物が排出されるよう排出孔が形成されるチューブネックと、前記チューブネックを覆って結合されるキャップで構成される。
【０００３】
前記のようなチューブ容器は、通常片手でチューブ本体を加圧して、また別の手の手のひらあるいは手の甲に内容物を排出して使用することになるが、内容物がほとんど消尽された場合には両手を使用し、チューブ本体を加圧して内容物を排出させる。しかし、このような場合、両手をみな使用するため、内容物が床面またはチューブ本体の上端部に落ちる場合が発生されるし、排出された内容物を使用するためにチューブ本体から手を離す瞬間内容物がチューブ本体の内部に再吸入されて使用し難い問題点があった。
【発明の開示】
【発明が解決しようとする課題】
【０００４】
本発明は上述した問題点を解決しようと案出されたものであり、本発明の目的はキャップ本体の上端部を中央部に行くほど陥没される皿形状の陥没部に構成して陥没部の中央部に形成される排出孔にバルブ部材を設置することにより、排出された内容物の再吸入を防止することができるだけでなく、陥没部の内容物を簡単に排出して使用することが可能なチューブ型化粧品容器を提供することである。
【課題を解決するための手段】
【０００５】
前記のような問題点を解決するために、本発明の好ましい実施例によるチューブ型化粧品容器は、内容物が収容されるチューブ本体と；前記チューブ本体の上部に結合されながら、チューブ本体に収容された内容物が排出されるように排出部が形成されるチューブネックと；前記排出部の内側に位置して内容物が移動する通路を形成し、内容物の圧力によって上昇する昇下降部材と；前記チューブネックを覆って結合されて内容物が排出されるよう排出孔が形成され、上端部が中央部に行くほど陥没されている皿形状の陥没部を形成するキャップ本体と、前記キャップ本体の一側にヒンジ結合され、前記排出孔を開閉するカバー部で構成されるワンタッチキャップと；前記昇下降部材の上端を覆って結合され、チューブ本体の加圧による内容物の圧力により排出孔を開閉させるバルブ部材と；を含むことを特徴とする。
【０００６】
また、前記チューブネックには排出部の内側に延長されながら、上方向に突出形成されて前記昇下降部材を支持する支持部が具備されることを特徴とする。
【０００７】
また、前記昇下降部材の下部には排出部を通じて移動する内容物が流入される内容物流入孔が形成され、上部には内容物流入孔を通じて流入された内容物が流出される内容物流出孔が形成される内容物移動管と、前記内容物移動管を取り巻いて位置して前記支持部に安着される安着部で構成されることを特徴とする。
【０００８】
また、前記内容物移動管には内側壁面から一定間隔離隔されて突出形成されながら、バルブ部材の下部と結合されてバルブ部材の上方向移動を制限する固定突起が形成されることを特徴とする。
【０００９】
また、前記カバー部の内側中央部には下方向に突出され前記バルブ部材の上端を加圧する加圧突起が具備されることを特徴とする。
【００１０】
また、前記キャップ本体の内側上端には排出孔を取り巻いて下方向に突出形成されて前記昇下降部材の上昇を制限する上昇制限突起が形成されることを特徴とする。
【００１１】
一方、本発明のまた別の実施例によるチューブ型化粧品容器は、内容物が収容されるチューブ本体と；前記チューブ本体の上部に結合され、チューブ本体に収容された内容物が排出されるよう排出部が形成されるチューブネックと；前記排出部に結合されながら、中空が形成され、その内側に弾性体が設置される弾性体挿入部が具備される支持体と；前記支持体の内側に位置し、内容物が移動する通路を形成しながら、カバー部の閉鎖時に下降して、カバー部の開放時に前記弾性体の弾性力によって上昇される昇下降部材と；前記チューブネックを覆って結合され内容物が排出されるように排出孔が形成されながら、上端部が中央部に行くほど陥没されている皿形状の陥没部を形成するキャップ本体と、前記キャップ本体の一側にヒンジ結合されて前記排出孔を開閉するカバー部で構成されるワンタッチキャップと；前記昇下降部材の上端を覆って結合され、チューブ本体の加圧による内容物の圧力によって排出孔を開閉させるバルブ部材と；を含むことを特徴とする。
【００１２】
また、前記昇下降部材は下部には排出部を通じて移動される内容物が流入される内容物流入孔が形成され、上部には内容物流入孔を通じて流入された内容物が流出される内容物流出孔が形成される内容物移動管と、前記内容物移動管を取り巻いて位置し、前記弾性体挿入部に安着される安着部で構成されることを特徴とする。
【発明の効果】
【００１３】
以上、上述したように本発明によると、キャップ本体の上端部を中央部に行くほど陥没された皿形状の陥没部に構成して陥没部の中央部に形成された排出孔にバルブ部材を設置することにより、排出された内容物の再吸入を防止できるだけでなく、陥没部で内容物を簡単に排出して使用することが可能な長所がある。
【図面の簡単な説明】
【００１４】
【図１】本発明の好ましい実施例によるチューブ型化粧品容器の構成を示す分解斜視図。
【図２】本発明の好ましい実施例によるチューブ型化粧品容器の構成を示す断面図。
【図３】本発明の好ましい実施例によるチューブ型化粧品容器の使用状態を示す状態図。
【図４】本発明のまた別の実施例によるチューブ型化粧品容器の構成を示す分解斜視図。
【図５】本発明の別の実施例によるチューブ型化粧品容器の構成を示す断面図。
【図６】本発明の別の実施例によるチューブ型化粧品容器の使用状態を示す状態図。
【発明を実施するための形態】
【００１５】
以下、図面を参照して本発明を詳細に説明する。各図面に提示された同一な参照符号は同一な部材を示す。
【００１６】
図１は本発明の好ましい実施例によるチューブ型化粧品容器の構成を示す分解斜視図で、図２は本発明の好ましい実施例によるチューブ型化粧品容器の構成を示す断面図であり、図３は本発明の好ましい実施例によるチューブ型化粧品容器の使用状態を示す状態図である。
【００１７】
図１ないし図３を参照すると、本発明の好ましい実施例によるチューブ型化粧品容器はチューブ本体（１００）、チューブネック（２００）、昇下降部材（３００）、ワンタッチキャップ（４００）、バルブ部材（５００）が含まれる。
【００１８】
前記チューブ本体（１００）は、内容物が収容されるものであり、ユーザーの加圧によって収容された内容物が外部に排出されるよう軟質のチューブで作られる。
【００１９】
前記チューブネック（２００）は前記チューブ本体（１００）の上部に結合されてチューブ本体（１００）を支持するものであり、チューブ本体（１００）に収容された内容物が排出されるよう排出部（２１０）が形成される。
【００２０】
本発明において、前記チューブネック（２００）には排出部（２１０）の下端内側に延長されながら上方向に突出形成され、後述する昇下降部材（３００）を支持する支持部（２２０）が具備されることが特徴であり、前記支持部（２２０）は昇下降部材（３００）が内容物の圧力によって上昇してから下降する場合、昇下降部材（３００）の安着部（３２０）の下端を支持することにより昇下降部材（３００）の下方向移動を制限することになる。
【００２１】
前記昇下降部材（３００）は、前記排出部（２１０）の内側に位置し、チューブ本体（１００）の加圧による内容物の移動時に内容物の圧力によって上昇してから、カバー部（４２０）に形成されている加圧突起（４２１）の加圧により下降されるように構成されるもので、内容物移動管（３１０）、安着部（３２０）を含む。
【００２２】
前記内容物移動管（３１０）は、チューブ本体（１００）に収容された内容物が移動する通路を形成するもので、下部には排出部（２１０）を通じて移動する内容物が流入される内容物流入孔（３１１）が形成され、上部には内容物流入孔（３１１）を通じて流入された内容物が流出される内容物流出孔（３１２）が形成される。
【００２３】
前記内容物移動管（３１０）には、内側壁面から一定間隔離隔されて突出形成されながら、バルブ部材（５００）の支持台（５２０）と結合されてバルブ部材（５００）の上方向移動を制限する固定突起（３１３）が具備されるが、前記固定突起（３１３）にはバルブ部材（５００）の係止突出部（５２１）と当接する部分に固定突出部（３１４）が形成されてバルブ部材（５００）の上方向移動を制限するよう構成されることが好ましい。
【００２４】
前記内容物移動管（３１０）の下部は、前記支持部（２２０）の内側に挿入されて昇下降運動するようになるが、支持部（２２０）を通じて移動する内容物が内容物移動管（３１０）の外部に移動することを遮断するため、その下部の直径がより大きく形成されて支持部（２２０）の内側壁面に密着するよう構成されるのが良い。
【００２５】
前記安着部（３２０）は、前記内容物移動管（３１０）を取り巻いて延長形成されるもので、昇下降部材（３００）の上昇時にはその上端部が後述するキャップ本体（４１０）の上昇制限突起（４１３）と当接して昇下降部材（３００）の上昇範囲を制限することになるし、昇下降部材（３００）の下降時にはその下端部が前記支持部（２２０）に安着されて昇下降部材（３００）の下降範囲を制限するように構成される。
【００２６】
前記ワンタッチキャップ（４００）は、前記チューブのネック（２００）を覆って結合されるもので、キャップ本体（４１０）、カバー部（４２０）で構成される。
【００２７】
前記キャップ本体（４１０）は上部の中央部に内容物が排出されるように排出孔（４１１）が形成されるもので、本発明において、前記キャップ本体（４１０）の上端は排出孔（４１１）が形成された中央部に行くほど下方向に陥没される皿形状の陥没部（４１２）を形成するのが特徴である。
【００２８】
前記キャップ本体（４１０）は、上端部に陥没部（４１２）が形成されることで、手の甲あるいは手のひらに内容物を排出せず、陥没部（４１２）に内容物を排出して使用することが可能になり、内容物がほとんど消尽されて両手でチューブ本体（１００）を加圧する場合にも陥没部（４１２）を通じて簡単に内容物を排出して使用することが可能になる。
【００２９】
一方、前記キャップ本体（４１０）の内側上端には排出孔を取り巻いて下方向に突出する上昇制限突起（４１３）が形成されているのが特徴で、前記上昇制限突起（４１３）は内容物の排出による圧力によって前記昇下降部材（３００）が上昇時に昇下降部材（３００）の安着部（３２０）の上端を加圧して昇下降部材（３００）の上昇を制限する。
【００３０】
前記カバー部（４２０）は前記キャップ本体（４１０）の一側にヒンジ結合されて前記排出孔（４１１）を開閉するもので、本発明において、前記カバー部（４２０）は前記排出孔（４１１）と当接する内側中央部にバルブ部材（５００）を加圧する加圧突起（４２１）が具備されることが特徴である。
【００３１】
前記加圧突起（４２１）は、バルブ部材（５００）を加圧することで、前記排出孔（４１１）を通じて内容物が外部に流出されることを差断するだけでなく、排出穴（４１１）の内周面と当接するよう構成されて排出孔（４１１）をシーリング処理することになる。
【００３２】
前記バルブ部材（５００）は前記昇下降部材（３００）の上端を覆って結合され、チューブ本体（１００）の加圧による内容物の圧力によって排出孔（４１１）を開閉させるもので、開閉板（５１０）、支持台（５２０）を含む。
【００３３】
前記開閉板（５１０）は前記内容物の動管（３１０）の上端に安着されて内容物流出穴（３１２）及び排出孔（４１１）を開閉するもので、本発明において、前記開閉板（５１０）はユーザーが前記チューブ本体（１００）を加圧時、排出孔（４１１）を通じて排出される内容物の圧力によって先端部が上方向に上がり、内容物を排出させるように構成されるので、このために前記開閉板（５１０）は弾性力を有するゴム材質で構成されるのが好ましい。
【００３４】
前記開閉板（５１０）は内容物の排出時に上方向に上がってから元の状態に復元されることで、陥没部（４１２）に排出された内容物がチューブ本体（１００）の内部に再吸入されることを防止することができる。
【００３５】
前記支持台（５２０）は、前記開閉板（５１０）の下端中央部に結合され、内容物移動管（３１０）の固定突起（３１３）が形成する中央部空間に結合されて、前記開閉板（５１０）を支持するもので、本発明において、前記支持台（５２０）の下部には固定突起（３１３）の固定顎（３１４）と当接する部分に係止顎（５２１）が形成され、バルブ部材（５００）の仮想機の固定顎（３１４）に堅固に固定されることで、バルブ部材（５００）が上方向に脱離されることを防止することができる。
【００３６】
以下では、図３を参照して、本発明の好ましい実施例によるチューブ型化粧品容器の使用状態を説明することにする。
【００３７】
図３を参照すると、本発明の好ましい実施例によるチューブ型化粧品容器は、最初カバー部（４２０）が閉じた状態では、カバー部（４２０）の加圧突起（４２１）がバルブ部材（５００）を加圧して排出孔（４１１）を閉鎖することになり、このとき、昇下降部材（３００）の安着部（３２０）が支持部（２２０）に安着した状態で位置する。
【００３８】
次に、カバー部（４２０）を一側に回転して開放すれば、バルブ部材（５００）により排出孔（４１１）の閉鎖状態が維持されるが、このとき、チューブ本体（１００）を加圧すれば、内容物の圧力によって支持部（２２０）に安着していた昇下降部材（３００）が上昇することになり、安着部（３２０）の上端部が上昇制限突起（４１３）と当接する時点で内容物の圧力によって、バルブ部材（５００）の開閉板（５１０）の先端部が上方向に上がり、キャップ本体（４１０）の陥没部（４１２）に内容物の排出が行われる。
【００３９】
一方、チューブ本体（１００）の加圧が解除されると、チューブ本体（１００）の内部が真空状態になり、昇下降部材（３００）の上昇された状態が維持されてからカバー部（４２０）の閉鎖時に加圧突起（４２１）の加圧によって昇下降部材（３００）が下方向に移動することになる。
【００４０】
以下では、図４ないし図６を参照して、本発明のまた別の実施例によるチューブ型化粧品容器の説明をする。
【００４１】
図４は本発明のまた別の実施例によるチューブ型化粧品容器の構成を示す分解斜視図で、図５は本発明のまた別の実施例によるチューブ型化粧品容器の構成を示す断面図であり、図６は本発明のまた別の実施例によるチューブ型化粧品容器の使用状態を示す状態図である。
【００４２】
図４ないし図６を参照すると、本発明のまた別の実施例によるチューブ型化粧品容器は、好ましい実施例で前述した支持部（２２０）を代替してチューブネック（２００）の排出部（２１０）に昇下降部材（３００）を支持する支持体（６００）が結合されることが特徴である。
【００４３】
前記支持体（６００）は、前記  排出部（２１０）に結合されながら、内容物の排出及び前記内容物移動管（３１０）の下部が挿入されるよう中空が形成され、その内側に弾性体（６２０）が設置される弾性体挿入部（６１０）が具備されるものであり、前記弾性体（６２０）は前記昇下降部材（３００）の安着部（３２０）の下端を支持するようになるが、カバー部（４２０）の閉鎖時には安着部（３２０）の加圧により収縮されてからカバー部（４２０）の開放時に弛緩されて安着部（３２０）に弾性力を提供することで、昇下降部材（３００）を上昇させることになる。
【００４４】
この時、前記昇下降部材（３００）はカバー部（４２０）の閉鎖時に弾性体挿入部（６１０）の上端に安着されて下方向への移動が制限され、カバー部（４２０）の開放による弾性体（６２０）の弾性力によって上昇時にはキャップ本体（４１０）の上昇制限突起（４１３）によって上昇が制限されるよう構成される。
【００４５】
以下では図６を参照して、本発明のまた別の実施例によるチューブ型化粧品容器の使用状態を説明することにする。
【００４６】
図６を参照すると、本発明のまた別の実施例によるチューブ型化粧品容器は、最初カバー部（４２０）が閉じた状態では、カバー部（４２０）の加圧突起（４２１）がバルブ部材（５００）を加圧して排出孔（４１１）を閉鎖することになり、この時、昇下降部材（３００）の安着部（３２０）が弾性体挿入部（６１０）に安着した状態で位置することになる。
【００４７】
次に、カバー部（４２０）を一側に回転して開放するようになると、弾性体（６２０）の弾性力により昇下降部材（３００）が上昇することになり、これによって昇下降部材（３００）に結合されたバルブ部材（５００）が共に上昇して陥没部（４１２）と平行に位置し、排出孔（４１１）の閉鎖状態を維持することになるが、このとき、チューブ本体（１００）を加圧すると、内容物の圧力によってバルブ部材（５００）の開閉板（５１０）の先端部が上方向に上がり、キャップ本体（４１０）の陥没部（４１２）に内容物の排出が成される。
【００４８】
図面と明細書で最適の実施例が開示された。ここで特定の用語らが用いられたが、これは単に本発明を説明するための目的で用いられたものであり、意味の限定や特許請求の範囲に記載された本発明の範囲を制限するために用いられたのではない。従って、当該技術分野の通常の知識を有する者であれば、多様な変形及び均等な他の実施例が可能であることを理解すべきである。したがって、本発明の真の技術的保護範囲は添付された特許請求の範囲の技術的思想によって定められるべきである。
【図１】
2015509811.tif 000003
【図２】
2015509811.tif 000004
【図３（ａ）】
2015509811.tif 000005
【図３（ｂ）】
2015509811.tif 000006
【図３（ｃ）】
2015509811.tif 000007
【図４】
2015509811.tif 000008
【図５】
2015509811.tif 000009
【図６（ａ）】
2015509811.tif 000010
【図６（ｂ）】
2015509811.tif 000011
【図６（ｃ）】
2015509811.tif 000012
【国際調査報告】
2015509811.tif 000013
2015509811.tif 000014
2015509811.tif 000015
2015509811.tif 000016